(57)【要約】
【課題】　按摩機の按摩装置の提供。
【解決手段】　前後移動機構、揉み機構、叩き機構及び角度調整機構を具え、該揉み機構及び叩き機構がそれぞれ駆動源を具えて揉み軸と叩き軸を駆動し、揉み軸スイングアームに取り付けられた按摩ローラが揉み及び叩きの動作を行ない、前後移動機構の駆動源がセルフロック機能を具えたウォームギアセットで移動軸を回転させ、並びに直線移動を行なう伝動構造が組み合わされて按摩装置が駆動され前後移動し指圧按摩を行ない、また角度調整機構が駆動源で角度軸の歯車を介して叩き機構底面の円弧形ラックを駆動してスイングアームと按摩ローラの設置角度を調整し、按摩装置が簡単な構造で揉み、叩き、指圧及びローラ角度調整の使用機能を具備し、確実な位置決めにより有効に指圧按摩を行ない、按摩ローラのスイング幅角度を調整できる。
【選択図】　　　　図１１
0003099297.tif 000002
【実用新案登録請求の範囲】
【請求項１】
　按摩機の按摩装置において、該按摩装置は、前後移動機構、揉み機構、叩き機構、角度調整機構を具え、該前後移動機構は、駆動源で移動軸を駆動して回転させると共に、移動軸と機体間に相互に組み合わされた伝動構造が取り付けられて、該伝動構造により按摩装置を直線前後移動させることができ、該揉み機構は、該前後移動機構に架設され、並びに駆動源で揉み軸を駆動し回転させて按摩ローラを駆動して揉み按摩動作を行なわせ、該叩き機構は該前後移動機構に架設され、並びに駆動源で叩き軸を駆動して回転させて按摩ローラに叩き按摩動作を行なわせ、該角度調整機構は該前後移動機構に架設され、並びに駆動源により角度軸を駆動して回転させて按摩装置の設置範囲を調整することを特徴とする、按摩機の按摩装置。
【請求項２】
　請求項１記載の按摩機の按摩装置において、前後移動機構がモータを駆動源とし、プーリセットを介してウォームセットを駆動して移動軸を駆動して回転させることを特徴とする、按摩機の按摩装置。
【請求項３】
　請求項２記載の按摩機の按摩装置において、前後移動機構の伝動構造が移動軸の両端に設けられた歯車と、機体に設けられてこの歯車と相互に噛み合うラックで組成されたことを特徴とする、按摩機の按摩装置。
【請求項４】
　請求項２記載の按摩機の按摩装置において、前後移動機構の主移動軸の両側に連結片で副移動軸が連結され、主移動軸、副移動軸の両端に機体の滑り溝中に設置されるローラが設けられたことを特徴とする、按摩機の按摩装置。
【請求項５】
　請求項１記載の按摩機の按摩装置において、揉み機構がモータを駆動源とし、プーリセットを介してウォームセットを駆動して揉み軸を駆動して回転させることを特徴とする、按摩機の按摩装置。
【請求項６】
　請求項５記載の按摩機の按摩装置において、揉み機構の揉み軸の両端が内向きに傾斜すると共に按摩ローラを具えたスイングアームが取り付けられたことを特徴とする、按摩機の按摩装置。
【請求項７】
　請求項１記載の按摩機の按摩装置において、叩き機構がモータを駆動源とし、プーリセットを介してウォームセットを駆動して叩き軸を駆動して回転させることを特徴とする、按摩機の按摩装置。
【請求項８】
　請求項７記載の按摩機の按摩装置において、叩き機構の叩き軸の両端に受座が設けられて、該受座に連接棒が取り付けられて、この連接棒により揉み機構のスイングアームに連結されたことを特徴とする、按摩機の按摩装置。
【請求項９】
　請求項１記載の按摩機の按摩装置において、角度調整機構がモータを駆動源とし、プーリセットを介してウォームセットを駆動して角度軸を駆動して回転させることを特徴とする、按摩機の按摩装置。
【請求項１０】
　請求項９記載の按摩機の按摩装置において、角度調整機構の角度軸が前後移動機構の連結手段に架設されたことを特徴とする、按摩機の按摩装置。
【請求項１１】
　請求項９記載の按摩機の按摩装置において、角度調整機構の角度軸に歯車が設けられ、この歯車が按摩装置の底面に設けられた円弧形ラックと噛み合わされたことを特徴とする、按摩機の按摩装置。
【請求項１２】
　請求項１記載の按摩機の按摩装置において、揉み機構及び叩き機構の揉み軸と叩き軸が外蓋を貫通し、並びに外蓋が前後移動機構の副移動軸の上に懸吊されたことを特徴とする、按摩機の按摩装置。
【考案の詳細な説明】
【技術分野】
【０００１】
　本考案は揉み、叩き、指圧及びローラ角度調整の使用効果を具備するだけでなく、有効に人体が寄り掛かる重量を支持して確実に位置決めし指圧按摩を行なえ、按摩機の按摩ローラのスイング幅角度を調整できる按摩機の按摩装置に関する。
【背景技術】
【０００２】
　現代社会は、腰痛、背中の痛みが一種の文明病となっており、このため多くの運動器材及び按摩器が提供されている。椅子式按摩器はそのうちの一種類であり、図１に示されるのは周知の特許文献１である。それは椅子の背もたれ部に取り付けられた按摩装置１を具え、該按摩装置１は昇降機構を利用して上下移動可能である。図２、３に示されるように、この按摩装置１のサポートシート１１には揉み機構２、叩き機構３及び二組の前後移動機構４Ａ、４Ｂが設けられ、図３〜６に示されるように、この揉み機構２の揉み軸２１の両側に軸方向に対して傾斜設置されたスリーブ２２があり、並びに各スリーブ２２に軸受ケース２３と支持アーム２４が取り付けられ、且つ二つの支持アーム２４の上方と下方に按摩ローラ２５が設けられ、さらにモータ２６でプーリセット２７を介してウォームセットが駆動されて揉み軸２１が回転し、両側の按摩ローラ２５が交替して叩く按摩動作を行なう。また、図１、３、７に示されるように、該前後移動機構４Ｂはサポートシート１１上に固定された変更用軸４１を具え、この変更用軸４１の一端が連接棒４２で按摩装置１の両側に取り付けられたてこ４３に連結され、別端が連接棒４４で送りネジキャップ４６を取り付けた連接棒４５に枢設され、この送りネジキャップ４６がプーリセット４８により駆動されるスクリューロッド４７に取り付けられ、このプーリセット４８がモータ４９に駆動されて送りネジキャップ４６がスクリューロッド４７上を移動する時、二つの連接棒４４、４５が変更用軸４１とそれに固定された按摩装置１を前後に移動させ、これにより按摩ローラ２５に指圧動作を行なわせる。さらに、図３、７、８に示されるように、該按摩装置１のサポートシート１１上の二組の前後移動機構４Ａ、４Ｂは対応するモータ４９により駆動されて、その一方の前後移動機構４Ａ或いは４Ｂを制御して動作させ、全体の按摩装置１に前傾或いは後仰の角度調整を行なわせ、上方或いは下方の按摩ローラ２５に選択的に按摩動作を行なわせる。これにより、該按摩装置１は揉み、叩き、指圧及びローラ角度調整の使用効果を有する。しかし、この前後移動機構は連接棒で全体の按摩装置を支持し、人体が按摩ローラによりかかる時、重量により連接棒の負荷が増し、即ち大きなトルクに耐えなければならなくなり、全体の按摩装置が後退して確実に位置決めできなくなる状況が発生し、これにより按摩ローラの指圧効果に影響が生じたり、さらに、該按摩装置が二組の前後移動機構を利用して角度上の調整を行ない、連接棒のスイング角度は有限であるため、按摩装置の角度調整が制限され、大きな角度の調整が行なえず、使用者により異なる按摩曲線に広く対応することができず、このため按摩の使用効果が下がった。
【０００３】
【特許文献１】台湾特許出願第９０１１５９３７号明細書
【考案の開示】
【考案が解決しようとする課題】
【０００４】
　本考案の主要な目的は、按摩機の按摩装置を提供することにあり、それは、前後移動機構、揉み機構、叩き機構及び角度調整機構を具え、該揉み機構及び叩き機構がそれぞれ駆動源を具えて揉み軸と叩き軸を駆動し、揉み軸の両側に取り付けられた按摩ローラに揉みと叩きの動作を行なわせ、前後移動機構の駆動源はセルフロック機能を具えたウォームセットが移動軸を直接駆動して回転させ、移動軸と機体間に相互に組み合わされる伝動構造が設けられて、按摩装置を駆動して直線前後移動させられ、これにより人体が按摩ローラに寄り掛かる時に、ウォームセットが人体重量を受けて相互に緊密に係止されてロックされ、これにより全体の按摩装置が確実に位置決めされて、必要な指圧按摩を提供するものとする。
【０００５】
　本考案のもう一つの目的は、一種の按摩機の按摩装置を提供することにあり、それは、該角度調整機構において角度軸上の歯車と叩き機構の底面の円弧形ラックが組み合わされて、按摩装置の按摩ローラの設置角度調整に供され、円弧形ラックの円弧角が必要に応じて大円弧角設計とされて、これにより大幅に按摩装置の調整角度が増され、使用者により異なる按摩曲線に広く対応し、按摩使用効果を高めるものとする。
【０００６】
　本考案のまた一つの目的は、一種の按摩機の按摩装置を提供することにあり、それは、按摩装置が簡易な構造設計とされ、僅かに円弧形ラックと歯車の相互の組合せを利用するだけで、角度調整動作を行なえ、大幅に製造コストを下げることができるものとする。
【０００７】
　本考案のまた別の目的は、一種の按摩機の按摩装置を提供することにあり、それは、揉み軸の両端が傾斜角度を有して、直接スイングアームが取り付けられ、スイングアーム上の按摩ローラに揉み按摩動作を行なわせることができ、また簡易な構造設計により製造コストを下げることができるものとする。
【課題を解決するための手段】
【０００８】
　請求項１の考案は、按摩機の按摩装置において、該按摩装置は、前後移動機構、揉み機構、叩き機構、角度調整機構を具え、該前後移動機構は、駆動源で移動軸を駆動して回転させると共に、移動軸と機体間に相互に組み合わされた伝動構造が取り付けられて、該伝動構造により按摩装置を直線前後移動させることができ、該揉み機構は、該前後移動機構に架設され、並びに駆動源で揉み軸を駆動し回転させて按摩ローラを駆動して揉み按摩動作を行なわせ、該叩き機構は該前後移動機構に架設され、並びに駆動源で叩き軸を駆動して回転させて按摩ローラに叩き按摩動作を行なわせ、該角度調整機構は該前後移動機構に架設され、並びに駆動源により角度軸を駆動して回転させて按摩装置の設置範囲を調整することを特徴とする、按摩機の按摩装置としている。
　請求項２の考案は、請求項１記載の按摩機の按摩装置において、前後移動機構がモータを駆動源とし、プーリセットを介してウォームセットを駆動して移動軸を駆動して回転させることを特徴とする、按摩機の按摩装置としている。
　請求項３の考案は、請求項２記載の按摩機の按摩装置において、前後移動機構の伝動構造が移動軸の両端に設けられた歯車と、機体に設けられてこの歯車と相互に噛み合うラックで組成されたことを特徴とする、按摩機の按摩装置としている。
　請求項４の考案は、請求項２記載の按摩機の按摩装置において、前後移動機構の主移動軸の両側に連結片で副移動軸が連結され、主移動軸、副移動軸の両端に機体の滑り溝中に設置されるローラが設けられたことを特徴とする、按摩機の按摩装置としている。
　請求項５の考案は、請求項１記載の按摩機の按摩装置において、揉み機構がモータを駆動源とし、プーリセットを介してウォームセットを駆動して揉み軸を駆動して回転させることを特徴とする、按摩機の按摩装置としている。
　請求項６の考案は、請求項５記載の按摩機の按摩装置において、揉み機構の揉み軸の両端が内向きに傾斜すると共に按摩ローラを具えたスイングアームが取り付けられたことを特徴とする、按摩機の按摩装置としている。
　請求項７の考案は、請求項１記載の按摩機の按摩装置において、叩き機構がモータを駆動源とし、プーリセットを介してウォームセットを駆動して叩き軸を駆動して回転させることを特徴とする、按摩機の按摩装置としている。
　請求項８の考案は、請求項７記載の按摩機の按摩装置において、叩き機構の叩き軸の両端に受座が設けられて、該受座に連接棒が取り付けられて、この連接棒により揉み機構のスイングアームに連結されたことを特徴とする、按摩機の按摩装置としている。
　請求項９の考案は、請求項１記載の按摩機の按摩装置において、角度調整機構がモータを駆動源とし、プーリセットを介してウォームセットを駆動して角度軸を駆動して回転させることを特徴とする、按摩機の按摩装置としている。
　請求項１０の考案は、請求項９記載の按摩機の按摩装置において、角度調整機構の角度軸が前後移動機構の連結手段に架設されたことを特徴とする、按摩機の按摩装置としている。
　請求項１１の考案は、請求項９記載の按摩機の按摩装置において、角度調整機構の角度軸に歯車が設けられ、この歯車が按摩装置の底面に設けられた円弧形ラックと噛み合わされたことを特徴とする、按摩機の按摩装置としている。
　請求項１２の考案は、請求項１記載の按摩機の按摩装置において、揉み機構及び叩き機構の揉み軸と叩き軸が外蓋を貫通し、並びに外蓋が前後移動機構の副移動軸の上に懸吊されたことを特徴とする、按摩機の按摩装置としている。
【考案の効果】
【０００９】
　本考案は叩く、揉む、指圧及びローラ角度調整の基本的使用効果のほか、有効に人体がもたれかかる時の重力を支持し、確実に按摩ローラを位置決めし指圧按摩及び按摩ローラのスイング幅角度の調整を行なうことができ、このような機能は従来の同類の製品中には見られず、また公開されておらず、ゆえに実用新案登録の要件を具備している。
【考案を実施するための最良の形態】
【００１０】
　図９を参照されたい。本考案の按摩装置５は、椅子に設けられた二つのガイドレールに取り付けられ、並びに昇降機構により上下移動調整を行なう。昇降機構は周知の設計であるため説明は省略する。図１０から図１４に示されるように、該按摩装置５は前後移動機構６、揉み機構７、叩き機構８及び角度調整機構９を具えている。図１０、図１１、図１３〜図１５に示されるように、該前後移動機構６はモータ６１でプーリセット６２を駆動し、該プーリセット６２によりウォームセット６３を駆動し、ウォームギア６３１が主移動軸６４に取り付けられ並びに主移動軸６４と機体５１の間に相互に組み合わされて直性移動可能な伝動機構が設けられている。該伝動機構は主移動軸６４の両端に歯車６５が設けられ、機体５１に相互に噛み合うラック５２が設けられ、別に主移動軸６４の両端に連結片６６が設けられてこれにより前方に位置するもう一つの副移動軸６７が連接されている。主移動軸６４、副移動軸６７の両端にはいずれも機体５１の滑り溝５３中に置かれるローラ６８が設けられている。図１０、１３、１４、１６に示されるように、該揉み機構７は外蓋７１で前後移動機構６の副移動軸６７の上に掛吊され、並びにモータ７２でプーリセット７３を駆動し、プーリセット７３によりウォームセット７４を駆動する。ウォーム７４１は両端が内向きに傾斜する揉み軸７５に取り付けられ、揉み軸７５の両端に二つの按摩ローラ７７を具えたスイングアーム７６が取り付けられ、スイングアーム７６及びそれに取り付けられた按摩ローラ７７が内向きに傾斜するように設置されている。図１０、１４、１６、１７に示されるように、該叩き機構８のモータ８１は外蓋７１の後方に取り付けられ、並びにプーリセット８２を駆動し、プーリセット８２が外蓋７１を貫通する叩き軸８３を駆動し、該叩き軸８３の両端が偏心棒設計を呈し、並びに両端に受座８４が固定されて連接棒８５が取り付けられ、該連接棒８５の端部両側が平面を呈し、受座８４中で側方向に揺動し、別端はユニバーサルジョイントで揉み機構７のスイングアーム７６の底面に連接されている。図１０、１１、１８に示されるように、該角度調整機構９のモータ９１は側イアタで前後移動機構６の連結片６６に固定され、並びにプーリセット９２を駆動し、プーリセット９２がウォームセット９３を駆動し、ウォーム９３１が角度軸９４に取り付けられ、並びに角度軸９４が前後移動機構６の連結片６６に架設され、並びに歯車９５を具え、該歯車９５が外蓋７１の底面の円弧形ラック８６と噛み合い、円弧形ラック９６が必要により大円弧設計とされる。これにより、按摩装置５が揉み動作を行なう時、図１０、１３、１６に示されるように、揉み機構７のモータ７２がプーリセット７３を駆動し、ウォームセット７４による伝動を介して揉み軸７５を回転させ、揉み軸７５の両端のスイングアーム７６が内向きに傾斜するよう設置されており、且つスイングアーム７６と連接棒８５がユニバーサルジョイントで連結されていることにより、連接棒８５と受座８４間もまた僅かに側方向に揺動し、揉み軸７５が回転する時、二つのスイングアーム７６上の按摩ローラ７７が順調に間隔変化し、これにより特に身体を揉む動作を行ない、揉み按摩の目的を達成する。別に叩き按摩動作を行なう時は、図１２、１４、１７に示されるように、叩き機構８のモータ８１がプーリセット８２を駆動し、プーリセット８２により叩き軸８３を駆動して回転させ、叩き軸８３の両端が偏心棒設計とされ、受座８４上の連接棒８５を上下に移動させられ、並びに連接棒８４が二つのスイングアーム７６を駆動して上下に揺動させ、これにより二つの按摩ローラ７７が上下に揺動し、且つ叩き軸８３両端の異なる偏心位置設計により、二つのスイングアーム７６上の按摩ローラ７７が後退叩き動作を行ない、叩き按摩の目的を達成する。また、按摩装置５を移動させて指圧及び按摩位置を調整する場合は、図１４〜１５、図１９に示されるように、前後移動機構６のモータ６１によりプーリセット６２を駆動し、ウォームセット６３を介して主移動軸６４を駆動し回転させ、主移動軸６４の両端の歯車６５を機体５１のラック５２上で前進移動させ、並びに連結片６６を利用して副移動軸６７を同期に作動させ、且つ主移動軸６６４、副移動軸６７の両端のローラ６８を機体５１の滑り溝５３中でスライドさせ、これにより全体の按摩装置５を直線前進移動させる。これに対して、モータ６１を制御して主移動軸６４を反対方向に回転させて、全体の按摩装置５を後退移動させることができ、これにより二つの按摩ローラ７７の按摩位置を調整でき、ウォームセット６３の有するセルフロック機能により、人体が按摩ローラ７７に寄り掛かる時、ウォームセット６３がモータに未駆動されない時に相互に緊密に噛み合って係止し、有効に人体の下圧重量を支持し、歯車６５とラック５２もまた相互に噛み合って係止し、按摩ローラを確実に位置決めし移動しないようにし、こうして確実に二つの按摩ローラ７７の按摩位置を制御調整して指圧按摩を行なう目的を達成する。さらに、按摩装置５の傾斜角度を調整して、上方或いは下方の二つの按摩ローラ７７を選択して按摩動作を行なわせる時、図１４、１８、２０に示されるように、該角度調整機構９のモータ９１によりプーリセット９２を駆動してウォームセット９３を駆動し、角度軸９４を駆動して回転させ、角度軸９４に設けられた歯車９５を外蓋７１底面の円弧形ラック９６と噛み合った状態で動作させ、これにより按摩装置５全体の傾斜角度を調整し、二つのスイングアーム７６もこれに伴い傾斜させることができ、円弧形ラック９６が大円弧設計とされることにより、按摩装置５の傾斜角度を大幅に増すことができる。これにより、二つのスイングアーム７６の按摩ローラ７７の傾斜角度が増されて上或いは下の二つの按摩ローラ７７が選択され、並びに使用者の曲線に合わせて按摩を行なう目的が達成される。
【図面の簡単な説明】
【００１１】
【図１】特許文献１の表示図である。
【図２】図１の按摩装置の正面図である。
【図３】図１の按摩装置の背面図である。
【図４】図１の揉み機構の表示図である。
【図５】図１の揉み機構の按摩ローラ移動表示図である。
【図６】図１の叩き機構の表示図である。
【図７】図１の前後移動機構の使用表示図である。
【図８】図１の角度調整機構の使用表示図である。
【図９】本考案が椅子のガイドレールに取り付けられた表示図である。
【図１０】本考案の俯視立体図である。
【図１１】本考案の背面視立体図である。
【図１２】本考案の仰視立体図である。
【図１３】本考案の正面図である。
【図１４】本考案の局部側面図である。
【図１５】本考案の前後移動機構の局部断面図である。
【図１６】本考案の揉み機構の局部断面図である。
【図１７】本考案の叩き機構の局部断面図である。
【図１８】本考案の角度調整機構の局部断面図である。
【図１９】本考案の前進指圧の使用表示図である。
【図２０】本考案の各調整の使用表示図である。
【符号の説明】
【００１２】
１　按摩装置　　　　　１１　サポートシート
２　揉み機構　　　　　２１　揉み軸
２２　スリーブ
２３　軸受ケース　　　２４　支持アーム
２５　按摩ローラ
２６　モータ　　　　　２７　プーリセット
３　叩き機構　　　　　３１　叩き軸
３２　偏心スリーブ　　３３　連接棒
３４　モータ　　　　　３５　プーリセット
４Ａ、４Ｂ　前後移動機構　　　　４１　変更用軸
４２　連接棒　　　　　　　　　　４３　てこ
４４　連接棒　　　　　　　　　　４５　連接棒
４６　送りネジキャップ　　　　　４７　スクリューロッド
４８　プーリセット　　　　　　　４９　モータ
５　按摩装置　　　　　　　　　　５１　機体
５２　ラック　　　　　　　　　　５３　滑り溝
６　前後移動機構　　　　　　　　６１　モータ
６２　プーリセット　　　　　　　６３　ウォームセット
６３１　ウォーム　　　　　　　　６４　主移動軸
６５　歯車　　　　　　　　　　　６６　連結片
６７　副移動軸　　　　　　　　　６８　ローラ
７　揉み機構　　　　　　　　　　７１　外蓋
７２　モータ　　　　　　　　　　７３　プーリセット
７４　ウォームセット
７４１　ウォーム　　　　　　７５　揉み軸
７６　スイングアーム　　　　　　７７　按摩ローラ
８　叩き機構　　　　　　　　　　８１　モータ
８２　プーリセット　　　　　　　８３　叩き機構
８４　受座　　　　　　　　　　　８５　連接棒
９　角度調整機構　　　　　　　　９１　モータ
９２　プーリセット　　　　　　　９３　ウォームセット
９３１　ウォーム　　　　　　　　９４　角度軸
９５　歯車
９６　円弧形ラック
【図１】
0003099297.tif 000003
【図２】
0003099297.tif 000004
【図３】
0003099297.tif 000005
【図４】
0003099297.tif 000006
【図５】
0003099297.tif 000007
【図６】
0003099297.tif 000008
【図７】
0003099297.tif 000009
【図８】
0003099297.tif 000010
【図９】
0003099297.tif 000011
【図１０】
0003099297.tif 000012
【図１１】
0003099297.tif 000013
【図１２】
0003099297.tif 000014
【図１３】
0003099297.tif 000015
【図１４】
0003099297.tif 000016
【図１５】
0003099297.tif 000017
【図１６】
0003099297.tif 000018
【図１７】
0003099297.tif 000019
【図１８】
0003099297.tif 000020
【図１９】
0003099297.tif 000021
【図２０】
0003099297.tif 000022